(57)【要約】【課題】大型化を抑えつつ、装着時における電線の噛み込みを良好に抑制することが可能なコネクタカバーを提供すること。【解決手段】互いに突き合わされてコネクタ４０及びコルゲートチューブ８０を挟んで連結させる第一カバー１１及び第二カバー１２を有し、第一カバー１１及び第二カバー１２には、コルゲートチューブ８０の端部が当接されることでコルゲートチューブ８０を軸方向に位置決めする電線規制壁２６，３６がそれぞれ対向位置に設けられ、少なくとも第一カバー１１の電線規制壁２６は、電線４１の引込方向に直交する幅方向の中央に、コネクタ４０から引き込まれる電線４１を収容する電線収容凹部２７を有し、電線規制壁２６，３６同士は、電線４１の引込位置Ｈに対して第二カバー１２側に偏った位置で互いに対向する。【選択図】図８
2020170663.tif 000002
【特許請求の範囲】
【請求項１】
コネクタと、前記コネクタから引き出された電線が挿通される筒状の保護部材との間に装着され、前記コネクタと前記保護部材とを連結するとともに、前記コネクタから引き出された前記電線を覆うコネクタカバーであって、
互いに突き合わされて前記コネクタ及び前記保護部材を挟んで連結させる一対のカバーを有し、
前記カバーには、前記保護部材の端部が当接されることで前記保護部材を軸方向に位置決めする壁部がそれぞれ対向位置に設けられ、
少なくとも一方の前記カバーの前記壁部は、前記電線の引込方向に直交する幅方向の中央に、前記コネクタから引き込まれる前記電線を収容する電線収容凹部を有し、
前記壁部同士は、前記電線の引込位置に対して他方の前記カバー側に偏った位置で互いに対向する
ことを特徴とするコネクタカバー。
【請求項２】
前記カバー同士の突き合わせ位置が前記保護部材の径方向の中間位置とされている
ことを特徴とする請求項１に記載のコネクタカバー。
【請求項３】
一方の前記カバーに設けられた前記壁部は、前記電線収容凹部の両側部分に、他方の前記カバー側へ延在する延在部を有する
ことを特徴とする請求項１または請求項２に記載のコネクタカバー。
【請求項４】
一方の前記カバーの前記壁部は、前記保護部材の外周に周方向へわたって軸方向に等ピッチで配置された複数の山部のピッチよりも大きな厚さを有している
ことを特徴とする請求項１から３のいずれか一項に記載のコネクタカバー。
【発明の詳細な説明】
【技術分野】
【０００１】
本発明は、コネクタカバーに関する。
【背景技術】
【０００２】
コネクタにおける電線の引出側の端部に装着されてコネクタから引き出された電線を覆って保護する電線カバーがある。
この電線カバーとしては、互いに組み合わされて筒状に構成される第１ハーフカバーと第２ハーフカバーとを有し、第２ハーフカバーに向かって突出する突起からなる電線規制突起が第１ハーフカバーの一側部に設けられ、第１ハーフカバーと第２ハーフカバーとの組み付けの際に、内部に通す電線が電線規制突起によって内側に押し戻されるか外側に押し出されることで、互いの突き合わせ面での電線の挟み込みを抑えるものがある（例えば、特許文献１参照）。
【先行技術文献】
【特許文献】
【０００３】
【特許文献１】特開２０１７−１４２８９９号公報
【発明の概要】
【発明が解決しようとする課題】
【０００４】
ところで、電線規制突起によって電線が外側に押し出された場合、作業者は、一旦第１ハーフカバーと第２ハーフカバーとを開き、外側に押し出された電線を内側へ戻して再度第１ハーフカバーと第２ハーフカバーとを閉じなければならず、手間を要する。しかも、この電線カバーでは、電線規制突起が設けられていない第１ハーフカバーと第２ハーフカバーとの連結側や、電線規制突起と保護部材であるコルゲートチューブを係止する係止壁との間で電線が挟まるおそれがある。また、この電線カバーは、電線規制突起を別途設けることで、全長が長くなり、大型化を招いてしまう。
【０００５】
本発明は、上述した事情に鑑みてなされたものであり、その目的は、大型化を抑えつつ、装着時における電線の噛み込みを良好に抑制することが可能なコネクタカバーを提供することにある。
【課題を解決するための手段】
【０００６】
前述した目的を達成するために、本発明に係るコネクタカバーは、下記（１）〜（４）を特徴としている。
（１）  コネクタと、前記コネクタから引き出された電線が挿通される筒状の保護部材との間に装着され、前記コネクタと前記保護部材とを連結するとともに、前記コネクタから引き出された前記電線を覆うコネクタカバーであって、
互いに突き合わされて前記コネクタ及び前記保護部材を挟んで連結させる一対のカバーを有し、
前記カバーには、前記保護部材の端部が当接されることで前記保護部材を軸方向に位置決めする壁部がそれぞれ対向位置に設けられ、
少なくとも一方の前記カバーの前記壁部は、前記電線の引込方向に直交する幅方向の中央に、前記コネクタから引き込まれる前記電線を収容する電線収容凹部を有し、
前記壁部同士は、前記電線の引込位置に対して他方の前記カバー側に偏った位置で互いに対向する
ことを特徴とするコネクタカバー。
（２）  前記カバー同士の突き合わせ位置が前記保護部材の径方向の中間位置とされている
ことを特徴とする（１）に記載のコネクタカバー。
（３）  一方の前記カバーに設けられた前記壁部は、前記電線収容凹部の両側部分に、他方の前記カバー側へ延在する延在部を有する
ことを特徴とする（１）または（２）に記載のコネクタカバー。
（４）  一方の前記カバーの前記壁部は、前記保護部材の外周に周方向へわたって軸方向に等ピッチで配置された複数の山部のピッチよりも大きな厚さを有している
ことを特徴とする（１）から（３）のいずれか一つに記載のコネクタカバー。
【０００７】
上記（１）の構成のコネクタカバーによれば、少なくとも一方のカバーの壁部における電線の引込方向と直交する幅方向の中央に形成された電線収容凹部に電線を収容させることで、電線を幅方向の中央に配索することができる。このため、カバー同士の突き合わせ時における電線の噛み込みを抑制することができる。また、壁部同士の対向位置がコネクタからの電線の引込位置に対して他方のカバー側に偏っているので、コネクタから引き出された電線を一方のカバーの壁部の電線収容凹部へ容易にかつ確実に収容することができる。しかも、電線を幅方向の中央に配索させる壁部は、保護部材の端部を当接させることで保護部材を軸方向へ位置決めする位置決め用の壁部である。このため、電線のはみ出しを抑制させる壁部や突起を別個に設ける場合と比べて全長の嵩張りを抑えて小型化を図ることができる。
上記（２）の構成のコネクタカバーによれば、カバー同士の突き合わせ位置が、カバー同士で保持する筒状の保護部材の径方向の中間位置とされている。このため、それぞれのカバーによる保護部材の周方向に沿う保持範囲を均等にすることができ、バランスよく保護部材を保持することができる。
上記（３）の構成のコネクタカバーによれば、一方のカバーに設けられた壁部の電線収容凹部の両側部分に、他方のカバー側へ延在する延在部を有しているので、電線収容凹部への電線の引き込み作業を容易に行うことができる。
上記（４）の構成のコネクタカバーによれば、保護部材の位置決めのための一方のカバーの壁部は、保護部材の山部のピッチよりも大きな厚さを有している。したがって、保護部材の端部が壁部を乗り越えて誤配置された場合であっても、この保護部材の山部同士の間の谷部への壁部の入り込みを抑制できる。つまり、一方のカバーに誤配置された保護部材が浮き上がった状態となり、他方のカバーの突き合わせができず、保護部材の誤配置を容易に確認することができる。
【発明の効果】
【０００８】
本発明によれば、大型化を抑えつつ、装着時における電線の噛み込みを良好に抑制することが可能なコネクタカバーを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係るコネクタカバーが装着されたコネクタの斜視図である。
【図２】図２は、コネクタ、コネクタカバー及びコルゲートチューブの斜視図である。
【図３】図３は、コネクタカバーが装着されたコネクタを示す図であって、図３（ａ）は横断面図、図３（ｂ）は縦断面図である。
【図４】図４は、コネクタカバーが装着されるコネクタの分解斜視図である。
【図５】図５は、第一カバーをコネクタに装着した状態の斜視図である。
【図６】図６は、コネクタへの組付け側から視たコネクタカバーの正面図である。
【図７】図７は、第一カバーをコネクタに組付けた状態のコネクタカバーを示す図であって、図７（ａ）は図３（ａ）におけるＡ−Ａ断面図、図７（ｂ）は図３（ａ）におけるＢ−Ｂ断面図である。
【図８】図８は、図３（ｂ）におけるＣ部拡大図である。
【図９】図９は、コネクタカバーの装着作業を説明する図であって、図９（ａ）は図３（ａ）におけるＡ−Ａ断面図、図９（ｂ）は図３（ａ）におけるＢ−Ｂ断面図である。
【図１０】図１０は、コネクタカバーの第一カバーへのコルゲートチューブの装着作業を説明する図５におけるＤ−Ｄ断面図である。
【発明を実施するための形態】
【００１１】
以下、本発明に係る実施の形態の例を、図面を参照して説明する。
図１は、本実施形態に係るコネクタカバーが装着されたコネクタの斜視図である。図２は、コネクタ、コネクタカバー及びコルゲートチューブの斜視図である。図３は、コネクタカバーが装着されたコネクタを示す図であって、図３（ａ）は横断面図、図３（ｂ）は縦断面図である。
【００１２】
図１から図３に示すように、本実施形態に係るコネクタカバー１０は、コネクタ４０における電線４１の引出側に組付けられる。電線４１は、筒状に形成された保護部材であるコルゲートチューブ８０に通されて保護されている。コルゲートチューブ８０は、樹脂製のチューブからなるもので、周方向にわたって形成された複数の山部８１及び谷部８２が軸方向に交互に形成されている。コルゲートチューブ８０は、その端部がコネクタカバー１０に係止されて保持される。これにより、コネクタ４０とコルゲートチューブ８０とがコネクタカバー１０によって連結され、コネクタ４０とコルゲートチューブ８０との間において、コネクタ４０から引き出された電線４１がコネクタカバー１０によって覆われて保護される。
【００１３】
図４は、コネクタカバーが装着されるコネクタの分解斜視図である。
図４に示すように、コネクタカバー１０が組付けられるコネクタ４０は、ハウジング４３と、ハウジング４３に収容される二つのメス端子４４と、ハウジング４３にスライドされて装着される筒状のＣＰＡ（嵌合保証部材）４５と、ハウジング４３に装着される環状のシール部材４６と、ハウジング４３に装着されるリテーナ４７とを備えて構成される。コネクタ４０は、相手側コネクタ（図示略）に嵌合されることで、メス端子４４が相手側コネクタのオス端子（図示略）と電気的に接続される。
【００１４】
ハウジング４３には、後方からメス端子４４が挿入される２つの端子収容室５１が形成されている。各端子収容室５１は、ハウジング４３の先端部に形成された挿入口５２を介して外部に開放され、各挿入口５２からタブ状のオス端子が挿入される。
【００１５】
端子収容室５１に挿入されて収容されるメス端子４４は、電線４１の端部に圧着されて接続されている。メス端子４４が接続された電線４１には、ゴム栓５３が装着されている。ゴム栓５３は、端子収容室５１に嵌め込まれることで、端子収容室５１をシールする。ハウジング４３は、前方に突出したインナーハウジング５５を有しており、このインナーハウジング５５の根元における外周面にシール部材４６が装着される。
【００１６】
インナーハウジング５５には、その側方からリテーナ４７が装着される。リテーナ４７は、合成樹脂から形成されたもので、一方の側部が開口するＵ状断面に形成されている。リテーナ４７は、前端を覆う前板部６１を有している。この前板部６１には、挿入口６２が形成されている。リテーナ４７は、インナーハウジング５５に対して、その側方から装着される。これにより、インナーハウジング５５の前端がリテーナ４７の前板部６１によって覆われ、インナーハウジング５５の挿入口５２とリテーナ４７の挿入口６２とが連通される。互いに連通される挿入口５２，６２には、相手側コネクタのタブ状のオス端子が挿入され、端子収容室５１に収容されたメス端子４４に電気的に接続される。
【００１７】
ハウジング４３の上部には、先端に係止爪６５を有するロックアーム６６が形成されている。このロックアーム６６は、片持ち状に支持されている。このロックアーム６６は、ハウジング４３を相手側コネクタの相手側ハウジングに嵌合した際に、係止爪６５が相手側ハウジングに形成された係止突起（図示略）を係止する。これにより、ハウジング４３が相手側ハウジングに嵌合した状態にロックされる。
【００１８】
ＣＰＡ４５は、合成樹脂製であって、筒状に形成されている。ＣＰＡ４５は、ハウジング４３に対して後方から被せられ、嵌合方向にスライド可能に装着される。ＣＰＡ４５には、幅方向に間隔をあけて立ち上がる左右１対の側壁７１と、各側壁７１の上端部同士を架橋する支持壁７２とが形成され、支持壁７２の中央部には、嵌合方向の前方へ向かって延在する係合アーム７３が形成されている。係合アーム７３は、支持壁７２に片持ち状に支持されており、先端部には、下方に突出する係合爪７４が形成されている。また、ＣＰＡ４５には、その後端部に、外方へ張り出す係止片７５が形成されている。
【００１９】
ＣＰＡ４５は、ハウジング４３に装着されると、係合アーム７３の係合爪７４がロックアーム６６の係止爪６５の後端部に当接し、相手側ハウジングに対するハウジング４３の嵌合動作時には、係止爪６５の後端部を嵌合方向の前方に押圧する。そして、相手側ハウジングに対してハウジング４３が嵌合されてロックアーム６６の係止爪６５が相手側ハウジングの係止突起を係止した状態で、係合アーム７３の係合爪７４が、係止突起を係止しているロックアーム６６の係止爪６５に係合する。これにより、ロックアーム６６の係止爪６５による相手側ハウジングの係止突起の係止状態が、ＣＰＡ４５の係合アーム７３によって維持され、嵌合保証状態が確保される。
【００２０】
次に、上記のコネクタ４０に組付けられる本実施形態に係るコネクタカバー１０について詳述する。
図５は、第一カバーをコネクタに装着した状態の斜視図である。図６は、コネクタへの組付け側から視たコネクタカバーの正面図である。図７は、第一カバーをコネクタに組付けた状態のコネクタカバーを示す図であって、図７（ａ）は図３（ａ）におけるＡ−Ａ断面図、図７（ｂ）は図３（ａ）におけるＢ−Ｂ断面図である。図８は、図３（ｂ）におけるＣ部拡大図である。
【００２１】
図５から図７に示すように、コネクタカバー１０は、第一カバー１１と、第二カバー１２とを有している。第一カバー１１及び第二カバー１２は、ヒンジ部１３によって互いに回動可能に連結されている。第一カバー１１、第二カバー１２及びヒンジ部１３は、合成樹脂によって一体に成形されている。コネクタカバー１０は、第一カバー１１と第二カバー１２とが開いた状態から第一カバー１１に対して第二カバー１２を回動させることで、第一カバー１１と第二カバー１２とが互いに突き合わされた状態に組み合わされる。このコネクタカバー１０は、第一カバー１１と第二カバー１２との突き合わせ位置が、保持するコルゲートチューブ８０の径方向の中間位置とされている。
【００２２】
第一カバー１１は、コネクタ４０への組付け側の端部である一端側における両側に、係止部２１を有している。係止部２１は、コネクタ４０を構成するＣＰＡ４５に形成された係止片７５を係止する。係止部２１は、それぞれ係止溝２２を有しており、これらの係止溝２２に係止片７５を入り込ませることで、係止片７５によって係止部２１が係止される。これにより、コネクタ４０のＣＰＡ４５に第一カバー１１が組付けられる。
【００２３】
図８に示すように、第一カバー１１は、第二カバー１２との突き合わせ側に、断面視で円弧状に凹む保持溝部２３を有している。この保持溝部２３の内面には、複数の係止突条２４が形成されている。これらの係止突条２４は、互いに等間隔に配置されている。係止突条２４は、コルゲートチューブ８０の谷部８２のピッチＰｃと同一の配列ピッチＰで配列されている。この保持溝部２３には、コルゲートチューブ８０の端部が配置される。そして、このコルゲートチューブ８０が保持溝部２３の所定位置に配置されると、コルゲートチューブ８０の谷部８２に、係止突条２４が入り込み、これにより、コルゲートチューブ８０の端部が保持溝部２３に保持される。なお、第一カバー１１の保持溝部２３に、所定位置に配置されるコルゲートチューブ８０の端部を係止する係止構造を設けてもよい。
【００２４】
また、第一カバー１１の第二カバー１２との突き合わせ側には、コネクタ４０のＣＰＡ４５への組付け側に、電線４１の引込方向と直交する幅方向に沿って形成された電線規制壁２６が突設されている。電線規制壁２６は、幅方向の中央に電線収容凹部２７を有している。この電線収容凹部２７には、コネクタ４０から引き込まれる電線４１が収容される。電線規制壁２６は、隣接する係止突条２４に対してコルゲートチューブ８０の谷部８２のピッチＰｃよりも大きな間隔をあけた位置に形成されている。この電線規制壁２６は、第一カバー１１をコネクタ４０へ装着した状態で、コネクタ４０からの電線４１の引込位置Ｈよりも第二カバー１２側へ突出されている。この電線規制壁２６は、電線収容凹部２７の両側部分が、第二カバー１２側へ延在する延在部２６ａとされている。また、この電線規制壁２６は、コルゲートチューブ８０の山部８１のピッチＰｍよりも大きな厚さＴを有している。
【００２５】
第二カバー１２は、コネクタ４０への組付け側の端部である一端側に、Ｕ字状に形成された係止部３１を有している。係止部３１は、コネクタ４０を構成するＣＰＡ４５に形成された係止片７５を係止する。係止部３１は、係止溝３２を有しており、この係止溝３２に係止片７５を入り込ませることで、係止片７５によって係止部３１が係止される。これにより、コネクタ４０のＣＰＡ４５に第二カバー１２が組付けられる。
【００２６】
第二カバー１２は、第一カバー１１との突き合わせ側に、断面視で円弧状に凹む保持溝部３３を有している。この保持溝部３３の内面には、複数の係止突条３４が形成されている。これらの係止突条３４は、互いに等間隔に配置されている。係止突条３４は、第一カバー１１の保持溝部２３に形成された係止突条２４と同様に、コルゲートチューブ８０の谷部８２のピッチＰｃと同一の配列ピッチＰで配列されている。この保持溝部３３には、コルゲートチューブ８０の端部が配置される。そして、このコルゲートチューブ８０が保持溝部３３の所定位置に配置されると、コルゲートチューブ８０の谷部８２に、係止突条３４が入り込み、これにより、コルゲートチューブ８０の端部が保持溝部３３に保持される。なお、コルゲートチューブ８０の端部は、第一カバー１１と第二カバー１２とが突き合わされることで係止突条２４，３４によって係止されることとなる。
【００２７】
また、第二カバー１２の第一カバー１１との突き合わせ側には、コネクタ４０のＣＰＡ４５への組付け側に、電線４１の引込方向と直交する幅方向に沿って形成された電線規制壁３６が突設されている。電線規制壁３６は、幅方向の中央に、電線収容凹部３７を有している。電線規制壁３６は、第一カバー１１の電線規制壁２６の対向位置に形成されており、電線規制壁２６に対して当接される。そして、電線規制壁２６，３６が互いに当接されることで、各電線規制壁２６，３６の電線収容凹部２７，３７によって、電線４１が挿通される孔部が形成される。電線規制壁３６は、隣接する係止突条３４に対してコルゲートチューブ８０の谷部８２のピッチＰｃよりも大きな間隔をあけた位置に形成されている。また、この電線規制壁３６も、コルゲートチューブ８０の山部８１のピッチＰｍよりも大きな厚さＴを有している。
【００２８】
図７（ｂ）に示すように、第一カバー１１には、第二カバー１２との連結側に、ロック孔２８が形成されている。このロック孔２８には、その一方側の内側面に、ロック凸部２８ａが形成されている。さらに、第一カバー１１には、第二カバー１２との連結側と反対側に、ロック片２９が形成されている。このロック片２９には、その先端部分に、ロック爪２９ａが形成されている。
【００２９】
第二カバー１２には、第一カバー１１との連結側に、ロック片３８が形成されている。このロック片３８には、その先端部分に、ロック爪３８ａが形成されている。さらに、第二カバー１２には、第一カバー１１との連結側と反対側に、凹部３９が形成されている。この凹部３９には、ロック凸部３９ａが形成されている。
【００３０】
次に、コネクタカバー１０を組付ける場合について説明する。
図９は、コネクタカバーの装着作業を説明する図であって、図９（ａ）は図３（ａ）におけるＡ−Ａ断面図、図９（ｂ）は図３（ａ）におけるＢ−Ｂ断面図である。
まず、コネクタ４０にコネクタカバー１０の第一カバー１１を装着する。具体的には、図７（ａ）に示すように、コネクタ４０の後端における上部に第一カバー１１を近づけ、第一カバー１１の係止部２１の係止溝２２にコネクタ４０のＣＰＡ４５に形成された係止片７５を挿し込んで係合させる。このようにすると、第一カバー１１の電線規制壁２６がコネクタ４０の電線４１の引出側の端面に対向した位置に配置され、コネクタ４０から引き込まれる電線４１が電線規制壁２６の電線収容凹部２７内に入り込む。ここで、電線規制壁２６は、電線４１の引込位置Ｈよりも突出しているので、電線規制壁２６の電線収容凹部２７へ電線４１を円滑に入り込ませて収容させることができる。特に、電線規制壁２６は、電線収容凹部２７の両側部分が、第二カバー１２側へ延在する延在部２６ａとされているので、電線４１を外側へはみ出させることなく延在部２６ａ同士の間の電線収容凹部２７へ確実に入り込ませることができる。
【００３１】
次に、コネクタカバー１０の第一カバー１１にコルゲートチューブ８０を装着させる。具体的には、コルゲートチューブ８０をコネクタカバー１０の第一カバー１１が装着されたコネクタ４０へ近付け、コルゲートチューブ８０の端部を電線規制壁２６に当接させる。このようにすると、コルゲートチューブ８０が第一カバー１１に対して軸方向に位置決めされる。この状態からコルゲートチューブ８０を第一カバー１１の保持溝部２３へ入り込ませる。すると、図７（ｂ）に示すように、コルゲートチューブ８０の谷部８２に保持溝部２３の係止突条２４が入り込み、コルゲートチューブ８０の端部が保持溝部２３に係止される。
【００３２】
その後、図９（ａ）及び図９（ｂ）に示すように、第一カバー１１に対して、ヒンジ部１３による連結箇所を中心に第二カバー１２を回動させる。そして、コネクタ４０に装着されてコルゲートチューブ８０が係止された第一カバー１１に対して第二カバー１２を突き合わせる。
【００３３】
すると、第二カバー１２の係止部３１の係止溝３２にコネクタ４０のＣＰＡ４５に形成された係止片７５が挿し込まれて係合する。そして、第二カバー１２の電線規制壁３６が第一カバー１１の電線規制壁２６に当接される。これにより、第一カバー１１と第二カバー１２の電線規制壁２６，３６の電線収容凹部２７，３７によって孔部が形成され、電線４１が孔部に挿通された状態に保持される。また、第二カバー１２の保持溝部３３にコルゲートチューブ８０が入り込む。これにより、コルゲートチューブ８０の谷部８２に保持溝部３３の係止突条３４が入り込み、コルゲートチューブ８０の端部が第一カバー１１及び第二カバー１２の保持溝部２３，３３に係止されて保持される。
【００３４】
また、第一カバー１１に対して第二カバー１２が突き合わされると、第二カバー１２のロック片３８が第一カバー１１のロック孔２８に挿し込まれ、ロック片３８のロック爪３８ａがロック孔２８のロック凸部２８ａを係止する。さらに、第一カバー１１のロック片２９が第二カバー１２の凹部３９に入り込み、ロック片２９のロック爪２９ａが凹部３９のロック凸部３９ａを係止する。これにより、第一カバー１１と第二カバー１２とが、互いに突き合わされた状態でロックされる。
【００３５】
このように、コネクタ４０にコネクタカバー１０を組付け、コルゲートチューブ８０をコネクタカバー１０によって保持させることで、コネクタ４０とコルゲートチューブ８０とを連結し、コネクタ４０から引き出された電線４１を覆って保護することができる。
【００３６】
ところで、図１０に示すように、コルゲートチューブ８０の端部を第一カバー１１の電線規制壁２６に当接させて位置決めする際に、コルゲートチューブ８０の端部が電線規制壁２６を乗り越えてコネクタ４０側へ配置されることが考えられる。
【００３７】
しかし、電線規制壁２６は、コルゲートチューブ８０の山部８１のピッチＰｍよりも大きな厚さＴを有しているので、コルゲートチューブ８０の山部８１同士の間の谷部８２へ電線規制壁２６が入り込むことがない。したがって、この場合、コルゲートチューブ８０が保持溝部２３に収容されずに浮き上がった状態となり、この状態で第二カバー１２を第一カバー１１に対して回動させると、浮き上がったコルゲートチューブ８０に第二カバー１２が当たる。したがって、第一カバー１１に対して第二カバー１２を回動させて突き合わせることができず、作業者は、コルゲートチューブ８０の誤配置を容易に確認することができる。
【００３８】
以上、説明したように、本実施形態に係るコネクタカバー１０によれば、第一カバー１１の電線規制壁２６における電線４１の引込方向と直交する幅方向の中央に形成された電線収容凹部２７に電線４１を収容させることで、電線４１を幅方向の中央に配索することができる。このため、第一カバー１１と第二カバー１２との突き合わせ時における電線４１の噛み込みを抑制することができる。また、電線規制壁２６，３６同士の対向位置がコネクタ４０からの電線４１の引込位置Ｈに対して第二カバー１２側に偏っている。このため、コネクタ４０から引き出された電線４１を第一カバー１１の電線規制壁２６の電線収容凹部２７へ容易にかつ確実に収容することができる。しかも、電線４１を幅方向の中央に配索させる電線規制壁２６は、コルゲートチューブ８０の端部を当接させることでコルゲートチューブ８０を軸方向へ位置決めする位置決め用の壁部である。このため、電線４１のはみ出しを抑制させる壁部や突起を別個に設ける場合と比べて全長の嵩張りを抑えて小型化を図ることができる。
【００３９】
また、第一カバー１１と第二カバー１２との突き合わせ位置が、保持するコルゲートチューブ８０の径方向の中間位置とされている。このため、第一カバー１１及び第二カバー１２によるコルゲートチューブ８０の周方向に沿う保持範囲を均等にすることができ、バランスよくコルゲートチューブ８０を保持することができる。
【００４０】
しかも、第一カバー１１に設けられた電線規制壁２６の電線収容凹部２７の両側部分に、第二カバー１２側へ延在する延在部２６ａを有しているので、電線収容凹部２７への電線４１の引き込み作業を容易に行うことができる。
【００４１】
また、コルゲートチューブ８０の位置決めのための電線規制壁２６は、コルゲートチューブ８０の山部８１のピッチＰｍよりも大きな厚さＴを有している。したがって、コルゲートチューブ８０の端部が電線規制壁２６を乗り越えて誤配置された場合であっても、このコルゲートチューブ８０の山部８１同士の間の谷部８２への電線規制壁２６の入り込みを抑制できる。つまり、第一カバー１１に誤配置されたコルゲートチューブ８０が浮き上がった状態となり、第二カバー１２の突き合わせができず、コルゲートチューブ８０の誤配置を容易に確認することができる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
例えば、上記実施形態では、第一カバー１１の係止部２１及び第二カバー１２の係止部３１の係止溝２２，３２にＣＰＡ４５の係止片７５を係止させてコネクタカバー１０をコネクタ４０に固定したが、第一カバー１１及び第二カバー１２がコネクタ４０を係止する係止構造を別途備えてもよい。
【００４４】
また、上記実施形態では、コネクタカバー１０が装着されるコネクタとして、ＣＰＡ４５を備えたコネクタ４０を例示したが、コネクタカバー１０が装着されるコネクタとしては、ＣＰＡ４５を備えるものに限らない。
【００４５】
ここで、上述した本発明に係るコネクタカバーの実施形態の特徴をそれぞれ以下［１］〜［４］に簡潔に纏めて列記する。
［１］  コネクタ（４０）と、前記コネクタ（４０）から引き出された電線（４１）が挿通される筒状の保護部材（コルゲートチューブ８０）との間に装着され、前記コネクタ（４０）と前記保護部材（コルゲートチューブ８０）とを連結するとともに、前記コネクタ（４０）から引き出された前記電線（４１）を覆うコネクタカバー（１０）であって、
互いに突き合わされて前記コネクタ（４０）及び前記保護部材（コルゲートチューブ８０）を挟んで連結させる一対のカバー（第一カバー１１，第二カバー１２）を有し、
前記カバー（第一カバー１１，第二カバー１２）には、前記保護部材（コルゲートチューブ８０）の端部が当接されることで前記保護部材（コルゲートチューブ８０）を軸方向に位置決めする壁部（電線規制壁２６，３６）がそれぞれ対向位置に設けられ、
少なくとも一方の前記カバー（第一カバー１１）の前記壁部（電線規制壁２６）は、前記電線（４１）の引込方向に直交する幅方向の中央に、前記コネクタ（４０）から引き込まれる前記電線（４１）を収容する電線収容凹部（２７）を有し、
前記壁部（電線規制壁２６，３６）同士は、前記電線（４１）の引込位置（Ｈ）に対して他方の前記カバー（第二カバー１２）側に偏った位置で互いに対向する
ことを特徴とするコネクタカバー。
［２］  前記カバー（第一カバー１１，第二カバー１２）同士の突き合わせ位置が前記保護部材（コルゲートチューブ８０）の径方向の中間位置とされている
ことを特徴とする［１］に記載のコネクタカバー。
［３］  一方の前記カバー（第一カバー１１）に設けられた前記壁部（電線規制壁２６）は、前記電線収容凹部（２７）の両側部分に、他方の前記カバー（第二カバー１２）側へ延在する延在部（２６ａ）を有する
ことを特徴とする［１］または［２］に記載のコネクタカバー。
［４］  一方の前記カバー（第一カバー１１）の前記壁部（電線規制壁２６）は、前記保護部材（コルゲートチューブ８０）の外周に周方向へわたって軸方向に等ピッチで配置された複数の山部（８１）のピッチ（Ｐｍ）よりも大きな厚さ（Ｔ）を有している
ことを特徴とする［１］から［３］のいずれか一つに記載のコネクタカバー。
【符号の説明】
【００４６】
１０：コネクタカバー
１１：第一カバー（カバー）
１２：第二カバー（カバー）
２６，３６：電線規制壁（壁部）
２６ａ：延在部
２７，２７：電線収容凹部
４０：コネクタ
４１：電線
８０：コルゲートチューブ（保護部材）
８１：山部
Ｈ：引込位置
Ｐｍ：ピッチ
【図１】
2020170663.tif 000003
【図２】
2020170663.tif 000004
【図３】
2020170663.tif 000005
【図４】
2020170663.tif 000006
【図５】
2020170663.tif 000007
【図６】
2020170663.tif 000008
【図７】
2020170663.tif 000009
【図８】
2020170663.tif 000010
【図９】
2020170663.tif 000011
【図１０】
2020170663.tif 000012